(57)【要約】    【課題】      ３ＧＰＰにて規定されるビームフォーミング適用時においても、従来からの一般的な回路構成である各フィンガにＤＰＣＨ逆拡散器とＣＰＩＣＨ逆拡散器とを具備するコンパクトな構成を維持して、ＣＰＩＣＨのパスを確実に受信できるようにパス選択が行えるようにすること。    【解決手段】  ＣＰＩＣＨを用いて遅延プロファイルを生成するＣＰＩＣＨ遅延プロファイル生成部１０２と、ＤＰＣＨを用いて遅延プロファイルを生成するＤＰＣＨ遅延プロファイル生成部１０３と、ＣＰＩＣＨ遅延プロファイル及びＤＰＣＨ遅延プロファイルに基づいてＣＰＩＣＨのパス選択を行ってフィンガ割り当てを行うフィンガ割り当て部１０４とを具備する。  【選択図】      図１
2005348183.tif 000002
【特許請求の範囲】
【請求項１】
ＤＰＣＨを用いて遅延プロファイルを生成するＤＰＣＨ遅延プロファイル生成手段と、ＣＰＩＣＨを用いて遅延プロファイルを生成するＣＰＩＣＨ遅延プロファイル生成手段と、前記ＤＰＣＨ遅延プロファイル及びＣＰＩＣＨ遅延プロファイルに基づいてフィンガ割り当てを行うフィンガ割り当て手段と、を具備することを特徴とするパス選択装置。
【請求項２】
前記フィンガ割り当て手段は、前記ＤＰＣＨ遅延プロファイル及びＣＰＩＣＨ遅延プロファイルのそれぞれにおいて受信レベルが大きい順に所定数の上位パスを検出する第１上位パス検出手段と、前記第１上位パス検出手段が検出したＤＰＣＨ遅延プロファイルの上位パスの中から決められた数の上位パスを検出する第２上位パス検出手段と、前記第１上位パス検出手段が検出した上位パスの中で前記第２上位パス検出手段が検出した所定数のパスにおけるＣＰＩＣＨパス合成受信レベルを測定するＣＰＩＣＨパス合成受信レベル測定手段と、前記ＣＰＩＣＨパス合成受信レベルと閾値とを比較する閾値比較手段と、前記比較の結果、前記測定したＣＰＩＣＨパス合成受信レベルが閾値以上で、かつ、ＤＰＣＨパス合成受信レベルが最大となるようにパス選択を行う最大パス検出手段と、を具備することを特徴とする請求項１記載のパス選択装置。
【請求項３】
前記フィンガ割り当て手段は、前記ＤＰＣＨ遅延プロファイル及びＣＰＩＣＨ遅延プロファイルのそれぞれにおいて受信レベルが大きい順に所定数の上位パスを検出する第１上位パス検出手段と、前記第１上位パス検出手段が検出したＤＰＣＨ遅延プロファイルの上位パスの中から決められた数の上位パスを検出する第２上位パス検出手段と、前記第１上位パス検出手段が検出した上位パスの中で前記第２上位パス検出手段が検出した所定数の上位パスにおけるＣＰＩＣＨパス合成受信レベルを測定するＣＰＩＣＨパス合成受信レベル測定手段と、前記ＣＰＩＣＨパス合成受信レベルと閾値とを比較する閾値比較手段と、前記比較の結果前記測定したＣＰＩＣＨパス合成受信レベルが前記閾値以下である場合に、ＤＰＣＨパスレベルの一番小さいパスを削除し、ＣＰＩＣＨパス合成受信レベルが閾値を越え、かつ、ＤＰＣＨパス合成受信レベルが最大になるパスを追加するＣＰＩＣＨ受信レベル考慮最大パス検出手段と、を具備することを特徴とする請求項１記載のパス選択装置。
【請求項４】
前記閾値は、ＣＰＩＣＨを用いて制御を行うモジュールの測定精度が満足できるレベル値であることを特徴とする請求項１又は請求項２記載のパス選択装置。
【請求項５】
ＤＰＣＨを用いて遅延プロファイルを生成する工程と、ＣＰＩＣＨを用いて遅延プロファイルを生成する工程と、前記ＤＰＣＨ遅延プロファイル及びＣＰＩＣＨ遅延プロファイルに基づいてＣＰＩＣＨのパス選択を行ってフィンガ割り当てを行う工程と、を具備することを特徴とするパス選択方法。
【請求項６】
前記フィンガ割り当てを行う工程では、前記ＤＰＣＨ遅延プロファイル及びＣＰＩＣＨ遅延プロファイルのそれぞれにおいて受信レベルが大きい順に所定数のパスを検出する工程と、検出されたパスでのＣＰＩＣＨパス合成受信レベル及びＤＰＣＨパス合成受信レベルを測定する工程と、前記ＣＰＩＣＨパス合成受信レベルと閾値とを比較する工程と、前記比較の結果、前記測定したＣＰＩＣＨパス合成受信レベルが閾値以上で、かつ、ＤＰＣＨパス合成受信レベルが最大になるようにパス選択を行う工程と、を具備することを特徴とする請求項５記載のパス選択方法。
【請求項７】
前記フィンガ割り当てを行う工程では、前記ＤＰＣＨ遅延プロファイル及びＣＰＩＣＨ遅延プロファイルのそれぞれにおいて受信レベルが大きい順に所定数のパスを検出する第１上位パス検出工程と、前記第１上位パス検出工程にて検出されたＤＰＣＨ遅延プロファイルの上位パスの中で決められた数の上位パスを検出する第２上位パス検出工程と、前記第１上位パス検出工程にて検出された上位パスの中から前記第２上位パス検出工程にて検出された所定数の上位パスにおけるＣＰＩＣＨパス合成受信レベルを測定する工程と、前記ＣＰＩＣＨパス合成受信レベルと閾値とを比較する工程と、前記比較の結果前記測定したＣＰＩＣＨパス合成受信レベルが前記閾値以下である場合に、ＤＰＣＨパスレベルの一番小さいパスを削除し、ＣＰＩＣＨパス合成受信レベルが閾値を越え、かつ、ＤＰＣＨパス合成受信レベルが最大になるパスを追加する工程と、を具備することを特徴とする請求項５記載のパス選択方法。
【請求項８】
請求項１から請求項３のいずれかに記載のパス選択装置を具備することを特徴とする通信端末装置。
【請求項９】
ＤＰＣＨを用いて遅延プロファイルを生成するＤＰＣＨ遅延プロファイル生成手順と、ＣＰＩＣＨを用いて遅延プロファイルを生成するＣＰＩＣＨ遅延プロファイル生成手順と、前記ＤＰＣＨ遅延プロファイル及びＣＰＩＣＨ遅延プロファイルに基づいてＣＰＩＣＨのパス選択を行ってフィンガ割り当てを行うフィンガ割り当て手順と、を具備することを特徴とするプログラム。
【発明の詳細な説明】
【技術分野】
【０００１】
本発明は、ＣＤＭＡ（Code Division Multiple Access）方式を適用した移動通信システムの移動局における受信機にて用いられるパス選択装置及びパス選択方法に関する。
【背景技術】
【０００２】
従来のパス選択装置では、基地局から送信される特定のチャネルの遅延プロファイルを作成し、その遅延プロファイルのみから上位パス検出を行い、上位パスの中からＲａｋｅ合成に用いる有効パスを選択し、Ｒａｋｅ合成器のフィンガ部に割り当てるようにしている（例えば特許文献１）。
【０００３】
フィンガ部では、ＣＰＩＣＨ（Common Pilot Channel：共通パイロットチャネル）とＤＰＣＨ（Dedicated Physical Channel：専用物理チャネル）のパスタイミングは一致していることを前提に、回路のコンパクト化のため各フィンガにＣＰＩＣＨ逆拡散器とＤＰＣＨ逆拡散器とを具備させ、フィンガ毎に同一タイミングでＣＰＩＣＨとＤＰＣＨの逆拡散を行うのが一般的である。
【０００４】
一方、３ＧＰＰ（3rd Generation Partnership project）において標準化作業が進められているＣＤＭＡ通信システムでは、基地局はＤＰＣＨにビームフォーミング（Beam Forming）送信を適用できることが規定されている。
【０００５】
このビームフォーミング送信の適用時では、ＣＰＩＣＨとＤＰＣＨとが異なる特性のアンテナから送信される可能性がある。その場合には、それぞれ違ったパスを通り移動局に受信される。したがって、移動局では、ビームフォーミング非適用時のパス選択においては、ＣＰＩＣＨを用いたＣＰＩＣＨ遅延プロファイルによってパス選択を行うが、ビームフォーミング適用時においては、ＤＰＣＨを用いたＤＰＣＨ遅延プロファイルによるパス選択を行わなければならない。
【特許文献１】特開平１０−１９０５２２号公報
【非特許文献１】３ＧＰＰ  ＴＳ２５．１０１
【発明の開示】
【発明が解決しようとする課題】
【０００６】
上記のように３ＧＰＰにて規定されるビームフォーミング送信に対応する移動局では、ＤＰＣＨによるパス選択を行わなければならないが、ＤＰＣＨの遅延プロファイルからのみパス選択を行った場合には、ＣＰＩＣＨのパスを確実に受信することはできないという問題がある。
【０００７】
したがって、ＣＰＩＣＨを用いて制御を行うように構成されたモジュールでは、測定精度劣化が生じ、最悪の場合には、通信が確立できない可能性もある。なお、前記モジュールとは例えば、ＡＦＣ（Auto Frequency Control：自動周波数制御）やSpeed Detection（移動速度検出）などが該当する。
【０００８】
また、一方で、前記ＣＰＩＣＨを用いて制御を行うように構成されたモジュールをＤＰＣＨ に挿入されたパイロット部を用いて動作させることも考えられる。しかし、一般的に、ＣＰＩＣＨに比べてＤＰＣＨのパイロット部の受信レベルは低いので、測定精度劣化が生じてしまう。
【０００９】
また、前記モジュール専用に、ＣＰＩＣＨ遅延プロファイルを作成し、ＣＰＩＣＨ専用フィンガを具備することも考えられるが、各フィンガにＤＰＣＨ逆拡散器とＣＰＩＣＨ逆拡散器を具備する従来の構成に比べて回路規模が増大してしまう。
【００１０】
本発明は、かかる点に鑑みてなされたものであり、３ＧＰＰにて規定されるビームフォーミング適用時においても、従来からの一般的な回路構成である各フィンガにＤＰＣＨ逆拡散器とＣＰＩＣＨ逆拡散器とを具備するコンパクトな構成を維持して、ＣＰＩＣＨのパスを確実に受信できるようにパス選択が行えるパス選択装置及びパス選択方法を提供することを目的とする。
【課題を解決するための手段】
【００１１】
かかる課題を解決するため、本発明のパス選択装置は、ＤＰＣＨを用いて遅延プロファイルを生成するＤＰＣＨ遅延プロファイル生成手段と、ＣＰＩＣＨを用いて遅延プロファイルを生成するＣＰＩＣＨ遅延プロファイル生成手段と、前記ＤＰＣＨ遅延プロファイル及びＣＰＩＣＨ遅延プロファイルに基づいてフィンガ割り当てを行うフィンガ割り当て手段とを具備する構成を採る。
【００１２】
この構成によれば、遅延プロファイルをＤＰＣＨとＣＰＩＣＨの双方から作成し、その双方の遅延プロファイルそれぞれの上位パスを検出し、それに基づきＣＰＩＣＨのパスにフィンガ割り当てが行えるようにしたので、３ＧＰＰにて規定されるビームフォーミング適用時においても、従来からの一般的な回路構成である各フィンガにＤＰＣＨ逆拡散器とＣＰＩＣＨ逆拡散器とを具備するコンパクトな構成を維持して、ＣＰＩＣＨのパスを確実に受信できるようになる。
【００１３】
本発明のパス選択装置は、上記の発明において、前記フィンガ割り当て手段は、前記ＤＰＣＨ遅延プロファイル及びＣＰＩＣＨ遅延プロファイルのそれぞれにおいて受信レベルが大きい順に所定数の上位パスを検出する第１上位パス検出手段と、前記第１上位パス検出手段が検出したＤＰＣＨ遅延プロファイルの上位パスの中から決められた数の上位パスを検出する第２上位パス検出手段と、前記第１上位パス検出手段が検出した上位パスの中で前記第２上位パス検出手段が検出した所定数の上位パスにおけるＣＰＩＣＨパス合成受信レベルを測定するＣＰＩＣＨパス合成受信レベル測定手段と、前記ＣＰＩＣＨパス合成受信レベルと閾値とを比較する閾値比較手段と、前記比較の結果、前記測定したＣＰＩＣＨパス合成受信レベルが閾値以上で、かつ、ＤＰＣＨパス合成受信レベルが最大となるようにパス選択を行う最大パス検出手段とを具備する構成を採る。
【００１４】
この構成によれば、前記フィンガ割り当て手段は、遅延プロファイルをＤＰＣＨとＣＰＩＣＨの双方から作成し、その双方の遅延プロファイルそれぞれの上位パスを検出し、決められた数のパス組み合わせにおいて、ＣＰＩＣＨパス合成受信レベルが閾値以上で、かつ、ＤＰＣＨパス合成受信レベルが最大になるようにパス選択を行うことができるので、３ＧＰＰにて規定されるビームフォーミング適用時においても、従来からの一般的な回路構成である各フィンガにＤＰＣＨ逆拡散器とＣＰＩＣＨ逆拡散器とを具備するコンパクトな構成を維持することができる。
【００１５】
本発明のパス選択装置は、上記の発明において、前記フィンガ割り当て手段は、前記ＤＰＣＨ遅延プロファイル及びＣＰＩＣＨ遅延プロファイルのそれぞれにおいて受信レベルが大きい順に所定数の上位パスを検出する第１上位パス検出手段と、前記第１上位パス検出手段が検出したＤＰＣＨ遅延プロファイルの上位パスの中から決められた数の上位パスを検出する第２上位パス検出手段と、前記第１上位パス検出手段が検出した上位パスの中で前記第２上位パス検出手段が検出した所定数の上位パスにおけるＣＰＩＣＨパス合成受信レベルを測定するＣＰＩＣＨパス合成受信レベル測定手段と、前記ＣＰＩＣＨパス合成受信レベルと閾値とを比較する閾値比較手段と、前記比較の結果前記測定したＣＰＩＣＨパス合成受信レベルが前記閾値以下である場合に、ＤＰＣＨパスレベルの一番小さいパスを削除し、ＣＰＩＣＨパス合成受信レベルが閾値を越え、かつ、ＤＰＣＨパス合成受信レベルが最大になるパスを追加するＣＰＩＣＨ受信レベル考慮最大パス検出手段とを具備する構成を採る。
【００１６】
この構成によれば、前記フィンガ割り当て手段は、遅延プロファイルをＤＰＣＨとＣＰＩＣＨの双方から作成し、その双方の遅延プロファイルそれぞれの上位パスを検出し、決められた数のＤＰＣＨ上位パスにおいて、ＣＰＩＣＨパス合成受信レベルが閾値以上となるようにパス選択を行うことができるので、３ＧＰＰにて規定されるビームフォーミング適用時においても、従来からの一般的な回路構成である各フィンガにＤＰＣＨ逆拡散器とＣＰＩＣＨ逆拡散器とを具備するコンパクトな構成を維持することができる。
【００１７】
本発明のパス選択装置は、上記の発明において、前記閾値は、ＣＰＩＣＨを用いて制御を行うモジュールの測定精度が満足できるレベル値であるという構成を採る。
【００１８】
この構成によれば、ＣＰＩＣＨによって制御されるモジュールの測定精度を維持し、通信を確実に維持することができる。
【００１９】
本発明のパス選択方法は、ＤＰＣＨを用いて遅延プロファイルを生成する工程と、ＣＰＩＣＨを用いて遅延プロファイルを生成する工程と、前記ＤＰＣＨ遅延プロファイル及びＣＰＩＣＨ遅延プロファイルに基づいてＣＰＩＣＨのパス選択を行ってフィンガ割り当てを行う工程とを具備するようにした。
【００２０】
この方法によれば、遅延プロファイルをＤＰＣＨとＣＰＩＣＨの双方から作成し、その双方の遅延プロファイルそれぞれの上位パスを検出し、それに基づきＣＰＩＣＨのパスにフィンガ割り当てが行えるようにしたので、３ＧＰＰにて規定されるビームフォーミング適用時においても、従来からの一般的な回路構成である各フィンガにＤＰＣＨ逆拡散器とＣＰＩＣＨ逆拡散器とを具備するコンパクトな構成を維持して、ＣＰＩＣＨのパスを確実に受信できるようになる。
【００２１】
本発明のパス選択方法は、上記の発明において、前記フィンガ割り当てを行う工程では、前記ＤＰＣＨ遅延プロファイル及びＣＰＩＣＨ遅延プロファイルのそれぞれにおいて受信レベルが大きい順に所定数のパスを検出する工程と、検出されたパスでのＣＰＩＣＨパス合成受信レベル及びＤＰＣＨパス合成受信レベルを測定する工程と、前記ＣＰＩＣＨパス合成受信レベルと閾値とを比較する工程と、前記比較の結果、前記測定したＣＰＩＣＨパス合成受信レベルが閾値以上で、かつ、ＤＰＣＨパス合成受信レベルが最大になるようにパス選択を行う工程とを具備するようにした。
【００２２】
この方法によれば、前記フィンガ割り当てを行う工程では、遅延プロファイルをＤＰＣＨとＣＰＩＣＨの双方から作成し、その双方の遅延プロファイルそれぞれの上位パスを検出し、決められた数のＤＰＣＨ上位パスにおいて、ＣＰＩＣＨパス合成受信レベルが閾値以上となるようにパス選択を行うことができるので、３ＧＰＰにて規定されるビームフォーミング適用時においても、従来からの一般的な回路構成である各フィンガにＤＰＣＨ逆拡散器とＣＰＩＣＨ逆拡散器とを具備するコンパクトな構成を維持することができる。
【００２３】
本発明のパス選択方法は、上記の発明において、前記フィンガ割り当てを行う工程では、前記ＤＰＣＨ遅延プロファイル及びＣＰＩＣＨ遅延プロファイルのそれぞれにおいて受信レベルが大きい順に所定数のパスを検出する第１上位パス検出工程と、前記第１上位パス検出工程にて検出されたＤＰＣＨ遅延プロファイルの上位パスの中で決められた数の上位パスを検出する第２上位パス検出工程と、前記第１上位パス検出工程にて検出された上位パスの中から前記第２上位パス検出工程にて検出された所定数の上位パスにおけるＣＰＩＣＨパス合成受信レベルを測定する工程と、前記ＣＰＩＣＨパス合成受信レベルと閾値とを比較する工程と、前記比較の結果前記測定したＣＰＩＣＨパス合成受信レベルが前記閾値以下である場合に、ＤＰＣＨパスレベルの一番小さいパスを削除し、ＣＰＩＣＨパス合成受信レベルが閾値を越え、かつ、ＤＰＣＨパス合成受信レベルが最大になるパスを追加する工程とを具備するようにした。
【００２４】
この方法によれば、前記フィンガ割り当てを行う工程では、遅延プロファイルをＤＰＣＨとＣＰＩＣＨの双方から作成し、その双方の遅延プロファイルそれぞれの上位パスを検出し、決められた数のパス組み合わせにおいて、ＣＰＩＣＨパス合成受信レベルが閾値以上で、かつ、ＤＰＣＨパス合成受信レベルが最大になるようにパス選択を行うことができるので、３ＧＰＰにて規定されるビームフォーミング適用時においても、従来からの一般的な回路構成である各フィンガにＤＰＣＨ逆拡散器とＣＰＩＣＨ逆拡散器とを具備するコンパクトな構成を維持することができる。
【００２５】
本発明の通信端末装置は、上記いずれかのパス選択装置を具備する構成を採る。
【００２６】
この構成によれば、遅延プロファイルをＤＰＣＨとＣＰＩＣＨの双方から作成し、その双方の遅延プロファイルそれぞれの上位パスを検出し、それに基づきＣＰＩＣＨのパスにフィンガ割り当てが行えるようにしたので、３ＧＰＰにて規定されるビームフォーミング適用時においても、従来からの一般的な回路構成である各フィンガにＤＰＣＨ逆拡散器とＣＰＩＣＨ逆拡散器とを具備するコンパクトな構成を維持して、ＣＰＩＣＨのパスを確実に受信できるようになる。
【００２７】
本発明のプログラムは、ＤＰＣＨを用いて遅延プロファイルを生成するＤＰＣＨ遅延プロファイル生成手順と、ＣＰＩＣＨを用いて遅延プロファイルを生成するＣＰＩＣＨ遅延プロファイル生成手順と、前記ＤＰＣＨ遅延プロファイル及びＣＰＩＣＨ遅延プロファイルに基づいてＣＰＩＣＨのパス選択を行ってフィンガ割り当てを行うフィンガ割り当て手順と、を具備する構成を採る。
【００２８】
この構成によれば、遅延プロファイルをＤＰＣＨとＣＰＩＣＨの双方から作成し、その双方の遅延プロファイルそれぞれの上位パスを検出し、それに基づきＣＰＩＣＨのパスにフィンガ割り当てが行えるようにしたので、３ＧＰＰにて規定されるビームフォーミング適用時においても、従来からの一般的な回路構成である各フィンガにＤＰＣＨ逆拡散器とＣＰＩＣＨ逆拡散器とを具備するコンパクトな構成を維持して、ＣＰＩＣＨのパスを確実に受信できるようになる。
【発明の効果】
【００２９】
本発明によれば、３ＧＰＰにて規定されるビームフォーミング適用時においても、従来からの一般的な回路構成である各フィンガにＤＰＣＨ逆拡散器とＣＰＩＣＨ逆拡散器とを具備するコンパクトな構成を維持して、ＣＰＩＣＨのパスを確実に受信できるようにパス選択が行えるので、ＣＰＩＣＨによって制御されるモジュールの測定精度を維持し、通信を確実に維持することができる。
【発明を実施するための最良の形態】
【００３０】
本発明の骨子は、遅延プロファイルをＤＰＣＨとＣＰＩＣＨの双方から作成し、その双方の遅延プロファイルそれぞれの上位パスを検出し、それに基づきＣＰＩＣＨのパスにフィンガ割り当てが行えるようにすることによって、３ＧＰＰにて規定されるビームフォーミング適用時においても、従来からの一般的な回路構成である各フィンガにＤＰＣＨ逆拡散器とＣＰＩＣＨ逆拡散器とを具備するコンパクトな構成を維持して、ＣＰＩＣＨのパスを確実に受信できるようにし、ＣＰＩＣＨによって制御されるモジュールの測定精度を維持し、通信を確実に維持できるようにすることである。
【００３１】
以下、本発明の実施の形態について図面を参照して詳細に説明する。
【００３２】
（実施の形態１）
図１は、本発明の実施の形態１に係るパス選択装置を備える受信機の構成を示すブロック図である。図２は、図１に示すフィンガ割り当て部の構成例を示すブロック図である。図１では、パス選択装置１０１とそれに接続されるフィンガ部１０５と示されている。
【００３３】
図１において、パス選択装置１０１は、ＣＰＩＣＨの遅延プロファイルを生成するＣＰＩＣＨ遅延プロファイル生成部１０２と、ＤＰＣＨの遅延プロファイルを生成するＤＰＣＨ遅延プロファイル生成部１０３と、ＣＰＩＣＨ遅延プロファイル及びＤＰＣＨ遅延プロファイルからＣＰＩＣＨのパスにフィンガ割り当てを行いフィンガ部１０５に対してパスタイミングを出力するフィンガ割り当て部１０４とを備えている。
【００３４】
フィンガ割り当て部１０４は、具体的には、例えば図２に示すように、ＣＰＩＣＨ遅延プロファイル及びＤＰＣＨ遅延プロファイルにおいて受信レベルが大きい順に所定数のパスを検出する上位パス検出部２０１と、フィンガに割り当てることができるパス数に対するパス合成後の受信レベルを測定するＣＰＩＣＨパス合成受信レベル測定部２０２及びＤＰＣＨパス合成受信レベル測定部２０３と、ＣＰＩＣＨパス合成受信レベル閾値を設定する閾値設定部２０４と、前記閾値とＣＰＩＣＨパス合成受信レベルとを比較する閾値比較部２０５と、閾値比較部２０５にて閾値以上と判定されたパスのうちＤＰＣＨパス合成受信レベルが最大となるパスの組み合わせを検出し、フィンガ部１０５に対してパスタイミングを出力する最大パス検出部２０６とを備えている。
【００３５】
フィンガ部１０５は、フィンガ割り当て部１０４の最大パス検出部２０６にて検出された各パスタイミングに従い、ＣＰＩＣＨを逆拡散するＣＰＩＣＨ逆拡散部１０６−１〜１０６−ｎと、ＤＰＣＨを逆拡散するＤＰＣＨ逆拡散部１０７−１〜１０７−ｎとを備えている。
【００３６】
次に、図１〜図４を参照して、上記のように構成されたパス選択装置１０１の動作について説明する。なお、図３は、図２に示す上位パス検出部における上位パスの検出例を示す図である。図４は、図２に示すＣＰＩＣＨパス合成受信レベル測定部２０２、ＤＰＣＨパス合成受信レベル測定部２０３及び最大パス検出部２０４の動作を説明する図である。ここでは、本発明の理解を容易にするため、割り当てることのできるフィンガ数を３とし、またＣＰＩＣＨパス合成受信レベル閾値を１０と仮定する。
【００３７】
ＣＰＩＣＨ遅延プロファイル生成部１０２およびＤＰＣＨ遅延プロファイル１０３は、それぞれのチャネルの遅延プロファイルを作成する。上位パス検出部２０１は、ＣＰＩＣＨとＤＰＣＨの各遅延プロファイルのそれぞれにおいて受信レベルが大きい順に所定数のパスを検出する。
【００３８】
例えば図３に示すように、検出されたパスタイミングｔ１〜ｔ６において対応したパスの受信レベルであるＤＰＣＨパスレベルとＣＰＩＣＨパスレベルとがそれぞれ検出される。なお、図３では、ＤＰＣＨのパスレベルを大きい順に並べてある。ビームフォーミング適用時には、ＣＰＩＣＨとＤＰＣＨのパスに完全な相関があるとは限らないので、図３に示すように、ＣＰＩＣＨパスレベルとＤＰＣＨパスレベルとは異なる場合がある。
【００３９】
上記のように、割り当てることのできるフィンガ数を３としているので、ＣＰＩＣＨパス合成受信レベル測定部２０２及びＤＰＣＨパス合成受信レベル測定部２０３では、３パス合成受信レベルを図４に示すように測定する。ここで、図４では、検出されたパスタイミングt1〜t６においてフィンガ数３におけるパスの組み合わせとそのパスの合成受信レベルが示されている。
【００４０】
図４において、●印の付されたタイミングは選択されたパスタイミングを示している。例えば、No１のパス組み合わせでは、パスタイミングｔ１、ｔ２、ｔ３でのＤＰＣＨパス合成受信レベルは、図３を参照して、１０＋８＋７＝２５となる。また、ＣＰＩＣＨパス合成受信レベルは、６＋０＋２＝８となる。
【００４１】
ここで、閾値設定部２０４に設定されているＣＰＩＣＨパス合成受信レベル閾値は、ＣＰＩＣＨを用いて制御を行うモジュールの測定精度が満足できるレベル値に設定されている。つまり、例えば、ＤＰＣＨの受信レベルが高いパスにフィンガ割り当てを行っても、ＣＰＩＣＨの受信レベルが閾値以下であれば、ＡＦＣなどのＣＰＩＣＨを用いるモジュールで測定精度を満足できず、通信が確立しない可能性がある。したがって、ＣＰＩＣＨパス合成受信レベル閾値を必ず満たすようにフィンガ割り当てを行わなければならない。
【００４２】
閾値比較部２０５では、閾値設定部２０４で設定されたＣＰＩＣＨパス合成受信レベル閾値と図４に示すＣＰＩＣＨパス合成受信レベルとを比較し、閾値以上のパスの組み合わせを最大パス検出部２０６に出力する。ここで、例に挙げて図４では、No４のパスの組み合わせにおけるＣＰＩＣＨパス合成受信レベル「１１」と、No９のパスの組み合わせにおけるＣＰＩＣＨパス合成受信レベル「１０」とが選択されることになる。
【００４３】
そして、最大パス検出部２０６では、図４におけるNo４のパスとNo９のパスとにおけるＤＰＣＨパス合成受信レベルを比較し、大きい方のパス（No４のパス）を最終的に割り当てるパスとして決定し、対応するパスタイミングをフィンガ部１０５に出力する。
【００４４】
斯くして、フィンガ部１０５では、ＣＰＩＣＨ逆拡散部１０６−１〜１０６−ｎ及びＤＰＣＨ逆拡散部１０７−１〜１０７−ｎにおいて、前記決定されたパスにおけるタイミングで逆拡散が行われ、基地局から送信されたＣＰＩＣＨ及びビームフォーミング送信が適用されているＤＰＣＨが受信される。
【００４５】
ここで、前記受信レベルとは、受信ＳＩＲ(Signal to Interference Ratio)を表すものであればどのようなものでもよい。また、近似として、受信電力を用いることも可能である。
【００４６】
また、閾値比較部２０５においては、保護段数を設け、ある値以上連続して閾値以下となる場合に、閾値以下と判定し、上記動作を行うようにすることも可能である。
【００４７】
さらに、なお、上位パス検出部２０１における上位パス検出方法については、受信ＳＩＲや受信電力の大きなパスを選択できればどのような方法でもよく、例えば、前記特許文献１に記載のような方法でも構わない。
【００４８】
このように、実施の形態１によれば、遅延プロファイルをＤＰＣＨとＣＰＩＣＨの双方から作成し、その双方の遅延プロファイルそれぞれの上位パスを検出し、決められた数のパス組み合わせにおいて、ＣＰＩＣＨパス合成受信レベルが閾値以上で、かつ、ＤＰＣＨパス合成受信レベルが最大になるようにパス選択を行うようにしたので、３ＧＰＰに規定されるビームフォーミング適用時においても、従来からの一般的な回路構成であるフィンガ部にＤＰＣＨ逆拡散器とＣＰＩＣＨ逆拡散器とを具備するコンパクトな構成をそのまま維持して、ＣＰＩＣＨのパスを確実に受信できるようにパス選択を行うことができ、ＣＰＩＣＨによって制御されるモジュールの測定精度を維持し、通信を確実に維持することができる。
【００４９】
（実施の形態２）
図５は、本発明の実施の形態２に係るパス選択装置におけるフィンガ割り当て部の構成例を示すブロック図である。なお、図５では、図２に示した構成要素と同一ないしは同等である構成要素には、同一の符号が付されている。ここでは、本実施の形態２に関わる部分を中心に説明する。
【００５０】
図５に示すフィンガ割り当て部５００では、図２（実施の形態１）に示したフィンガ割り当て部において、ＣＰＩＣＨパス合成受信レベル測定部２０２に代えてＣＰＩＣＨパス合成受信レベル測定部５０１が設けられ、それに伴い最大パス検出部５０２が設けられている。
【００５１】
最大パス検出部５０２は、上位パス検出部２０１が検出したＤＰＣＨ遅延プロファイルの中で決められた数の上位パスを検出し、ＣＰＩＣＨパス合成受信レベル測定部５０１に与える。ＣＰＩＣＨパス合成受信レベル測定部５０１は、最大パス検出部５０２にて検出された所定数の上位パスにおけるＣＰＩＣＨパス合成受信レベルを測定し、閾値比較部２０５に与える。
【００５２】
また、図５に示すフィンガ割り当て部５００では、図２（実施の形態１）に示したフィンガ割り当て部においてＤＰＣＨパス合成受信レベル測定部２０３を削除し、最大パス検出部２０６に代えてＣＰＩＣＨ受信レベル考慮最大パス検出部５０３が設けられている。
【００５３】
ＣＰＩＣＨ受信レベル考慮最大パス検出部５０３は、閾値比較部２０５での比較結果が閾値以下を示すとき、ＤＰＣＨパスレベルの一番小さいパスを削除し、ＣＰＩＣＨパス合成受信レベルが閾値を越え、かつＤＰＣＨパス合成受信レベルが最大になるパスを追加することを行い、フィンガ部１０５に対してパスタイミングを出力するようになっている。
【００５４】
次に、図５、図３、図４を参照して、上記のように構成されたパス選択装置１０１の動作について説明する。なお、ここでは、実施の形態１と同様に、割り当てることのできるフィンガ数を３とし、またＣＰＩＣＨパス合成受信レベル閾値を１０と仮定する。
【００５５】
最大パス検出部５０２では、フィンガ数を３と仮定しているので、上位パス検出部２０１が検出したＤＰＣＨ遅延プロファイルの中で決められた数３の上位パスを検出し、ＣＰＩＣＨパス合成受信レベル測定部５０１に与える。
【００５６】
ＣＰＩＣＨパス合成受信レベル測定部５０１では、最大パス検出部５０２にて検出された上位３パスのパス合成受信レベルを測定する。本例の場合、前記上位３パスは、図４におけるNo１のパス組み合わせであり、そのときのＣＰＩＣＨパス合成受信レベルは８となる。
【００５７】
閾値比較部２０５では、最大パス検出部５０２にて選択されたパスにおけるＣＰＩＣＨパス合成受信レベルと閾値設定部２０４からの前記閾値とを比較する。その結果、閾値以上にならない場合は、閾値以上になるパスを再選択しなければならない。そこで、ＣＰＩＣＨ受信レベル考慮最大パス検出部５０３では、まず、上位パス検出部２０１から受け取るＤＰＣＨ受信レベルの中で一番小さいパスを削除する。
【００５８】
そして、ＣＰＩＣＨ受信レベル考慮最大パス検出部５０３では、ＣＰＩＣＨパス合成受信レベルが閾値以上になるパスのうち、ＤＰＣＨパス合成受信レベルが最大になるものを検索し、そのパスを第３のパスとして決定する。
【００５９】
図３の例で言えば、削除されるパスは、ＤＰＣＨパスレベルの一番小さいタイミングｔ３のパスである。また、ＣＰＩＣＨパス合成受信レベルが閾値１０を超えなければいけないが、現在のパスであるタイミングｔ１とｔ２のＣＰＩＣＨパスレベルが６と０であるので、新たに追加されるパスでのＣＰＩＣＨパスレベルは４を超えるものでなければならない。つまり、図２においては、タイミングｔ６となる。
【００６０】
なお、閾値よりも大きかった場合、閾値比較部２０５は、ＣＰＩＣＨ受信レベル考慮最大パス検出部５０３では、前記選択された３パスがそのまま最終的に選択されるパスとなる。
【００６１】
このように、実施の形態２によれば、遅延プロファイルをＤＰＣＨとＣＰＩＣＨの双方から作成し、その双方の遅延プロファイルそれぞれの上位パスを検出し、決められた数のＤＰＣＨ上位パスにおいて、ＣＰＩＣＨパス合成受信レベルが閾値以上となるようにパス選択を行うようにしたので、３ＧＰＰに規定されるビームフォーミング適用時においても従来からの一般的な回路構成であるフィンガ部にＤＰＣＨ逆拡散器とＣＰＩＣＨ逆拡散器とを具備するコンパクトな構成をそのまま維持して、ＣＰＩＣＨのパスを確実に受信できるようにパス選択を行うことができ、ＣＰＩＣＨによって制御されるモジュールの測定精度を維持し、通信を確実に維持することができる。
【００６２】
加えて、本実施の形態２では、実施の形態１のように、全てのパス組み合わせのパス合成受信レベルを測定する必要がないので、簡易に実現することができるという効果も得られる。
【産業上の利用可能性】
【００６３】
本発明は、３ＧＰＰに規定されるビームフォーミングに対応する移動局受信機を、従来からの一般的な回路構成であるフィンガ部にＤＰＣＨ逆拡散器とＣＰＩＣＨ逆拡散器とを具備するコンパクトな構成をそのまま維持して構成するのに好適である。
【図面の簡単な説明】
【００６４】
【図１】本発明の実施の形態１に係るパス選択装置を備える受信機の構成を示すブロック図
【図２】図１に示すフィンガ割り当て部の構成例を示すブロック図
【図３】図２に示す上位パス検出部における上位パスの検出例を示す図
【図４】図２に示すＣＰＩＣＨパス合成受信レベル測定部、ＤＰＣＨパス合成受信レベル測定部及び最大パス検出部の動作を説明する図
【図５】本発明の実施の形態２に係るパス選択装置におけるフィンガ割り当て部の構成例を示すブロック図
【符号の説明】
【００６５】
１０１  パス選択装置
１０２  ＣＰＩＣＨ遅延プロファイル生成部
１０３  ＤＰＣＨ遅延プロファイル生成部
１０４、５００  フィンガ割り当て部
１０５  フィンガ部
１０６−１〜１０６−ｎ  ＣＰＩＣＨ逆拡散部
１０７−１〜１０７−ｎ  ＤＰＣＨ逆拡散部
２０１  上位パス検出部
２０２、５０１  ＣＰＩＣＨパス合成受信レベル測定部
２０３  ＤＰＣＨパス合成受信レベル測定部
２０４  閾値設定部
２０５  閾値比較部
２０６、５０２  最大パス検出部
５０３  ＣＰＩＣＨ受信レベル考慮最大パス検出部
【図１】
2005348183.tif 000003
【図２】
2005348183.tif 000004
【図３】
2005348183.tif 000005
【図４】
2005348183.tif 000006
【図５】
2005348183.tif 000007